【手続補正書】
【提出日】平成20年4月22日(2008.4.22)
【手続補正１】
【補正対象書類名】明細書
【補正対象項目名】００６９
【補正方法】変更
【補正の内容】
【００６９】
図１２にも示す如く、第一のレバー部材Ｊ２１は、突起Ｊ１９に係合する下向きの爪部（係合部）Ｊ２０を有する長い第一のレバーＪ２３と、第一のレバーＪ２３に軸部Ｊ２５で連結された短い第二のレバーＪ２４とで構成され、第二のレバーＪ２４は先端に回動阻止レバーＪ９９の下端部の側面Ｊ９９ａに接する当接部Ｊ２２を有している。第一のレバーＪ２３は回動部材Ｊ１８の上側に近接してほぼ水平に位置し、第二のレバーＪ２４はケースＪ２の一側方でほぼ垂直に位置し、両レバーＪ２３，Ｊ２４は９０゜よりもやや広い角度で開いた状態で相互に固定されている。
【手続補正２】
【補正対象書類名】明細書
【補正対象項目名】００８８
【補正方法】変更
【補正の内容】
【００８８】
なお、上述した実施の形態では、ダイヤルＪ８をを操作させてコインの返却を行うようにすることで、操作手段であるダイヤルＪ８の操作を促しているが、操作手段はコインの返却を伴わないダイヤル以外のものであってもよい。この場合、返却すべきコインがないので、第二の規制手段に相当するものは必須でなくなる。この場合、施錠待機状態を保持するようにシリンダ錠の回動操作を規制し、この規制状態が所定数のコインの投入によって解除できる手段があればよい。また、コインの返却は、投入したコインの一部であっても全部であってもよい。
【手続補正３】
【補正対象書類名】明細書
【補正対象項目名】０１０７
【補正方法】変更
【補正の内容】
【０１０７】
なお、シリンダ錠１ｉは、シリンダ錠１ｉの後端面を示す背面図である図２３に示されるように、キー挿入孔に正規のキーが挿入されたとき、筒体１ｉ１に対して回転可能となるシリンダ軸１ｉ２を有し、このシリンダ軸１ｉ２の筒体１ｉ１から突出した後端部には、筒体１ｉ１に設けた突起１ｉ４と協働して筒体１ｉ１に対するシリンダ軸１ｉ２の回転角度を規制する回転規制板１ｉ３が固定されている。回転規制板１ｉ３には、突起１ｉ４の一対の側面１ｉ４１及び１ｉ４２にそれぞれ突き当たる一対の規制面１ｉ３１及び１ｉ３２が形成されている。一対の規制面１ｉ３１及び１ｉ３２は、図２３（ａ）に示すキー挿抜自在位置にある施錠状態において、一対の側面１ｉ４１及び１ｉ４２の何れにも突き当たっておらず、規制面１ｉ３１が側面１ｉ４１に突き当たる図２３（ｂ）の解錠状態に対応する位置まで例えば４２°の角度、規制面１ｉ３２が側面１ｉ４２に突き当たる図２３（ｃ）に示す施錠待機状態に対応する位置まで例えば２０°の角度それぞれ矢印方向に回転可能となる位置に形成されている。シリンダ錠１ｉは、図２３（ａ）に示す施錠状態に対応する位置以外の位置ではキーの引き抜きが不能となる。なお、図２３に示したシリンダ錠では、シリンダ軸１ｉ２の後端部に固定した回転規制板１ｉ３の一対の規制面１ｉ３１及び１ｉ３２を筒体１ｉ１に設けた突起１ｉ４の一対の側面１ｉ４１及び１ｉ４２に突き当てるようにしているが、回転規制板１ｉ３を別途設けることなく、筒体のシリンダ軸挿入端側の内周にストッパ部を形成し、このストッパ部に対してシリンダ軸の前端外周に一体に形成した肩部を突き当てるようにしても同様のことが行える。
【手続補正４】
【補正対象書類名】明細書
【補正対象項目名】０１１２
【補正方法】変更
【補正の内容】
【０１１２】
施錠板保持片１０ｂのねじりコイルスプリング１０ｃの付勢力に抗する回動は、キー５によるシリンダ錠１ｉの回動操作によってシリンダ軸とともに回動される駆動板１０ａと施錠板保持片１０ｂとを連結する連結片１０ｄを介して施錠板保持片１０ｂに伝達されるシリンダ錠１ｉの回転操作力によって行われる。このために、連結片１０ｄの一端が、駆動板１０ａに突設された軸１０ａ１に回動自在に軸止され、他端に突設された連結ピン１０ｄ１が、施錠板保持片１０ｂに形成された軸１０ｂ２を中心とする円弧状の溝１０ｂ４に挿入されている。円弧状溝１０ｂ４内に挿入されている連結ピン１０ｄ１は、シリンダ錠１ｉが施錠状態及び解錠状態にあるとき、図２５及び図２６に示すように円弧状溝１０ｂ４内の一端に位置する。施錠板保持片１０ｂ上には、軸１０ｂ３に回動自在に軸止され、ねじりコイルスプリング１０ｅ１によって時計回転方向に付勢力が付与された移動規制片１０ｅが設けられている。移動規制片１０ｅは突設した軸１０ｅ２と円弧溝（図示せず）によって回動角度が制限されており、その先端部に、溝１０ｂ４内の一端にある連結ピン１０ｄ１を係止して連結ピン１０ｄ１の移動を規制する係止爪１０ｅ３を有する。
【手続補正５】
【補正対象書類名】明細書
【補正対象項目名】０１３７
【補正方法】変更
【補正の内容】
【０１３７】
シリンダ錠１ｉが施錠待機状態に対応するキー引き抜き不能位置にあるときのみ押圧可能であり、それ以外のとき返却押ボタン１ｅの押圧を規制するため、返却機構６０は、ボタンガイド６０ａに形成した案内スリット（図示せず）と、補枠１ａ３に突設された案内軸６０ｄによって上下方向に案内され、補枠１ａ３に突設した軸との間に張設したコイルスプリング６０ｅによって規制を解く方向に付勢されている押圧規制片６０ｆを有する。返却機構６０はまた、シリンダ錠１ｉが施錠待機状態に対応するキー引き抜き不能位置にあるとき、コイルスプリング６０ｅによる付勢により後退させ、それ以外の位置にあるとき付勢に抗して押圧規制片６０ｆを移動し、その一端６０ｆ１を返却押ボタン１ｅの押圧操作を規制する位置まで移動させるための機構を有する。この機構は、駆動板１０ａの外周縁に一体に形成したカム面１０ａ３と、カム面１０ａ３に従動する従動ローラ６０ｇ１を一端に有し、補枠１ａ３に起立した起立片６０ｇ３に突設した軸６０ｇ４と上記軸５０ｂ５とによって上下動可能に案内された従動片６０ｇと、従動片６０ｇの他端に突設した連結ピン６０ｇ２が係合される凹部６０ｈ１を一端に有し、中間部が補枠１ａ３に突設した軸６０ｈ２に回動自在に軸止されたる連結レバー６０ｈとを有する。連結レバー６０ｈの他端と押圧規制片６０ｆの他端は軸６０ｈ３にて連結されており、コイルスプリング６０ｅによって押圧規制片６０ｆに付与されている付勢力は、連結レバー６０ｈ及び従動片６０ｇを介して従動ローラ６０ｇ１に伝達され、従動ローラ６０ｇ１をカム面１０ａ３に押圧させる。
【手続補正６】
【補正対象書類名】明細書
【補正対象項目名】０１４５
【補正方法】変更
【補正の内容】
【０１４５】
また、この状態で所定数のコインがコイン収容部３０に収納されていないとき、揺動レバー２０ｃが自重によって反時計回転方向に揺動されて係合ピン２０ｃ１がロックレバー２０ｂの凹部２０ｂ２に係入され、ロックレバー２０ｂに時計回転方向の回転力が付与され、ロックレバー２０ｂのロックピン２０ｂ１が係止凹部２０ａ４１に係入された状態になっている。したがって、シリンダ錠１ｉの回動操作が規制された状態となっている。
【手続補正７】
【補正対象書類名】明細書
【補正対象項目名】０１５４
【補正方法】変更
【補正の内容】
【０１５４】
ロッカの使用を終わり返却コインを返却してもらうに当たってキー５によるシリンダ錠１ｉの回動操作によって図１６の施錠待機状態に対応するキー引き抜き不能位置にすると、例えば図２４，図３１に示すように、駆動板１０のカム面１０ａ３の低部に従動ローラ６０ｇ１が落ち込むようになって、押圧規制片６０ｆは、図２０に示すように、その一端６０ｆ１が返却押ボタン１ｅの押圧操作を規制しない下方位置に移動されて返却押ボタン１ｅの押圧操作ができるようになる。
【手続補正８】
【補正対象書類名】明細書
【補正対象項目名】０１５８
【補正方法】変更
【補正の内容】
【０１５８】
なお、上述した実施の形態では、施錠待機状態に対応するキー引き抜き不能位置にあるとき押ボタン１ｅを操作させて返却コインの返却を行うようにすることで、操作手段である押ボタンの操作を促しているが、操作手段はコインの返却を伴わない押ボタン以外のものであってもよい。この場合、返却すべきコインがないので、第二の規制手段に相当するものは必須でなくなる。この場合、シリンダ錠が施錠待機状態に対応するキー引き抜き不能位置にあるとき操作手段の操作によって、施錠待機状態を保持するようにシリンダ錠の回動操作を規制し、この規制状態が所定数のコインの投入によって解除できる手段があればよい。また、実施の形態では、投入したコインの一部を返却しているが、投入コインの全部を返却する、いわゆる、無料のコインロッカに適用するようにしておもよい。
【手続補正９】
【補正対象書類名】明細書
【補正対象項目名】０１６６
【補正方法】変更
【補正の内容】
【０１６６】
【図１】本発明に係るコインロッカ用錠装置の一実施形態を示す外観斜視図である。
【図２】同じくコインロッカ用錠装置の施錠待機状態を示す正面図である。
【図３】同じく施錠待機を解除した状態を示す正面図である。
【図４】同じく再施錠した状態を示す正面図である。
【図５】同じくキーを抜き取った状態を示す正面図である。
【図６】コインロッカ用錠装置の内部構造を示す施錠待機状態の背面図である。
【図７】同じくコイン投入時の状態を示す背面図である。
【図８】同じくダイヤルを施錠待機解除方向に回した状態を示す背面図である。
【図９】同じくダイヤルを施錠待機方向に回す途中の状態を示す背面図である。
【図１０】コインロッカ用錠装置の内部構造を示す初期状態の側面図である。
【図１１】同じく使用時にキーを抜き取った状態を示す側面図である。
【図１２】コインロッカ用錠装置の第一のロック手段の一形態を示す斜視図である。
【図１３】第一のロック手段の他の形態を示す正面図である。
【図１４】同じく第一のロック手段の作用を示す正面図である。
【図１５】コインロッカに組み込んだ本発明に係るコインロッカ用錠装置を示す正面図である。
【図１６】施錠待機状態にある本発明に係るコインロッカ用錠装置の他の実施の形態を示す正面図である。
【図１７】施錠待機状態にある本発明に係るコインロッカ用錠装置の他の実施の形態を示す斜視図である。
【図１８】施錠状態にある本発明に係るコインロッカ用錠装置の他の実施の形態を示す正面図である。
【図１９】解錠状態にある本発明に係るコインロッカ用錠装置の他の実施の形態を示す正面図である。
【図２０】施錠待機状態にある錠装置の全体構成を、枠体の一部を破断して図１７において矢印Ａ方向から見た側面図である。
【図２１】施錠待機状態にある錠装置の全体構成を、枠体の一部を破断して図１７において矢印Ｂ方向から見た背面図である。
【図２２】施錠待機状態にある錠装置の全体構成を、枠体の一部を破断して図１７において矢印Ｃ方向から見た底面図である。
【図２３】シリンダ錠の後端面を示す背面図であり、（ａ）は施錠状態、（ｂ）は解錠状態、（ｃ）は施錠状態を示す。
【図２４】図２１において一部の部材を除いて、施錠待機状態を示す背面図である。
【図２５】図２１において一部の部材を除いて、施錠状態を示す背面図である。
【図２６】図２１において一部の部材を除いて、開錠状態を示す背面図である。
【図２７】図２０において一部の部材を除いて、返却押ボタンが押圧されて施錠待機状態を示す側面図である。
【図２８】図２０において一部の部材を除いて、所定数のコインが投入された状態を示す側面図である。
【図２９】図２０において一部の部材を除いて、解錠状態を示す側面図である。
【図３０】図２０において一部の部材を除いて、施錠状態を示す側面図である。
【図３１】一部の部材を除くとともに一部を破断して、施錠待機状態を示す正面図である。
【図３２】一部の部材を除くとともに一部を破断して、施錠待機状態を示す背面図である。
【図３３】一部の部材を除いて、施錠待機状態を示す背面図である。
【図３４】一部の部材を除いて、解錠状態を示す背面図である。
【図３５】一部の部材を除くとともに枠体を部分的に破断して、解錠状態を示す側面図である。
【図３６】一部の部材を除いて、解錠状態を示す底面図である。
【図３７】一部の部材を除くとともに部分的に破断して、コイン返却時の状態を示す背面図である。
【図３８】一部の部材を除くとともに部分的に破断して、コイン返却時の状態を示す側面図である。
【図３９】一部の部材を除いて、コイン返却時の状態を示す底面図である。
【図４０】従来のコインロッカ用錠装置の一形態を示す側面図である。
【図４１】コインロッカ用錠装置を用いたロッカ装置の一形態を示す正面図である。
【図４２】従来のコインロッカ用錠装置における施解錠機構を示す側面図である。